(57)【要約】【課題】ケーシングに取り付けた便座や便蓋がケーシングから外れることを抑制することができる便座装置を提供することを目的とする。【解決手段】装着部を有するケーシングと、前記装着部に装着されるヒンジブロックと、基端部を回動中心として前記ヒンジブロックに回動自在に軸支される便座と、を備え、前記装着部および前記ヒンジブロックのいずれか一方は、いずれか他方を挿入可能な凹部を有し、前記装着部および前記ヒンジブロックは、前記凹部へ前記いずれか他方を挿入した状態において前記凹部からの前記いずれか他方の抜けを抑制する係合部を有することを特徴とする便座装置が提供される。【選択図】図３
2010246773.tif 000002
【特許請求の範囲】
【請求項１】
装着部を有するケーシングと、
前記装着部に装着されるヒンジブロックと、
基端部を回動中心として前記ヒンジブロックに回動自在に軸支される便座と、
を備え、
前記装着部および前記ヒンジブロックのいずれか一方は、いずれか他方を挿入可能な凹部を有し、
前記装着部および前記ヒンジブロックは、前記凹部へ前記いずれか他方を挿入した状態において前記凹部からの前記いずれか他方の抜けを抑制する係合部を有することを特徴とする便座装置。
【請求項２】
前記ヒンジブロックは、
ヒンジブロック本体と、
前記ヒンジブロック本体に対して回動可能に支持され、少なくとも一部が弾性体により前記ヒンジブロック本体の方向に付勢されたカバー部材と、
を有し、
前記係合部は、
前記装着部および前記カバー部材のいずれか一方に設けられた係合凸部と、
前記装着部および前記カバー部材のいずれか他方に設けられ、前記係合凸部と係合可能な係合凹部と、
を有し、
前記係合凸部と前記係合凹部とは、前記凹部への前記いずれか他方の挿入により互いに係合し、前記カバー部材が前記弾性体の付勢力に抗って回動されることにより互いの係合が外れることを特徴とする請求項１記載の便座装置。
【請求項３】
前記カバー部材は、前記ヒンジブロック本体に対して回動可能に支持された部分よりも上側において、前記弾性体による付勢力に抗って押圧可能な押圧部を有することを特徴とする請求項２記載の便座装置。
【請求項４】
前記係合部は、
前記突部および前記カバー部材のいずれか一方に設けられ、弾性体により付勢された突起と、
前記突部および前記カバー部材のいずれか他方に設けられ、前記突起と係合可能な係合孔と、
を有し、
前記突起と前記係合孔とは、前記凹部への前記いずれか他方の挿入により互いに係合し、前記突起が前記弾性体の付勢力に抗って押圧されることにより互いの係合が外れることを特徴とする請求項１記載の便座装置。
【発明の詳細な説明】
【技術分野】
【０００１】
本発明の態様は、一般的に、便座装置に関し、具体的には便座および便蓋を着脱可能な便座装置に関する。
【背景技術】
【０００２】
便座装置のなかには、例えば、便座および便蓋が、局部洗浄機能や脱臭機能や局部乾燥機能などの機能部を内蔵するケーシングに取り付けられたものがある。便座および便蓋は、それぞれ人が座ったり、また埃に曝される部材であるため、汚れや水跳ねした水などがその便座および便蓋に付着する場合がある。このため、前述したような便座装置では、便座や便蓋を拭き掃除する場合に、便座および便蓋がケーシングに連結されたままでは作業を行い難いため、その便座および便蓋をケーシングから取り外すことができると便利である。
【０００３】
そこで、ケーシングに突設して設けた突部に、便座のヒンジブロックを差し込んで取り付ける便座および便蓋の取付構造がある（特許文献１および２）。また、支持部の壁面に対して進退自在に設けられた軸ピンを便座および便蓋に設けられた軸孔に挿通させることにより、便座および便蓋が軸ピンを中心に支持部に対して回動自在に軸支された便器装置がある（特許文献３）。特許文献１および２に記載された取付構造では、ケーシングの突部に便座のヒンジブロックを挿入し、その後、ヒンジブロックを突部に係合させることにより、便座のケーシングへの装着が完了する。これにより、便座および便蓋をケーシングから取り外したり、ケーシングに取り付けたりすることができる。
【０００４】
しかしながら、使用者は、便座および便蓋をケーシングに取り付けたときに、ヒンジブロックを突部に係合させることを忘れる場合がある。この場合であっても、使用者が便座に座ると、便座の背面がヒンジブロックを押すことにより、一般的に、ヒンジブロックは突部に係合される。しかしながら、便座の下面を支持する洋式腰掛便器の上面に凹凸がある場合には、ヒンジブロックが突部に係合されていない状態において、例えば使用者が便座の前端部に勢いよく座ると、ヒンジブロックが突部から外れる場合がある。
【先行技術文献】
【特許文献】
【０００５】
【特許文献１】特開平１０−２５８００３号公報
【特許文献２】特開２００５−１６１０９７号公報
【特許文献３】特開平１１−２８１７５号公報
【発明の概要】
【発明が解決しようとする課題】
【０００６】
本発明は、かかる課題の認識に基づいてなされたものであり、ケーシングに取り付けた便座や便蓋がケーシングから外れることを抑制することができる便座装置を提供することを目的とする。
【課題を解決するための手段】
【０００７】
第１の発明は、装着部を有するケーシングと、前記装着部に装着されるヒンジブロックと、基端部を回動中心として前記ヒンジブロックに回動自在に軸支される便座と、を備え、前記装着部および前記ヒンジブロックのいずれか一方は、いずれか他方を挿入可能な凹部を有し、前記装着部および前記ヒンジブロックは、前記凹部へ前記いずれか他方を挿入した状態において前記凹部からの前記いずれか他方の抜けを抑制する係合部を有することを特徴とする便座装置である。  
この便座装置によれば、ヒンジブロックに支持された便座をケーシングに取り付けると、突部とヒンジブロックとが係合し、抜け防止としてのロックが自動的にかかる。そのため、使用者などが便座をケーシングに取り付けたときに、ヒンジブロックを突部に確実にロックさせることができる。これにより、使用者が、便座をケーシングに取り付けた後に便座の前端部に勢いよく座った場合でも、ヒンジブロックが突部から外れる、すなわち便座がケーシングから外れることを抑制することができる。また、より安全性を高めることができる。
【０００８】
また、第２の発明は、第１の発明において、前記ヒンジブロックは、ヒンジブロック本体と、前記ヒンジブロック本体に対して回動可能に支持され、少なくとも一部が弾性体により前記ヒンジブロック本体の方向に付勢されたカバー部材と、を有し、前記係合部は、前記装着部および前記カバー部材のいずれか一方に設けられた係合凸部と、前記装着部および前記カバー部材のいずれか他方に設けられ、前記係合凸部と係合可能な係合凹部と、を有し、前記係合凸部と前記係合凹部とは、前記凹部への前記いずれか他方の挿入により互いに係合し、前記カバー部材が前記弾性体の付勢力に抗って回動されることにより互いの係合が外れることを特徴とする便座装置である。  
この便座装置によれば、弾性体の付勢力を利用することにより、係合凸部と係合凹部とが係合し、ロックが自動的にかかる。そのため、使用者が、便座をケーシングに取り付けた後に便座の前端部に勢いよく座った場合でも、便座がケーシングから外れることを抑制することができる。また、より低コストで便座の抜け防止としてのロック機構を設けることができる。
【０００９】
また、第３の発明は、第２の発明において、前記カバー部材は、前記ヒンジブロック本体に対して回動可能に支持された部分よりも上側において、前記弾性体による付勢力に抗って押圧可能な押圧部を有することを特徴とする便座装置である。  
この便座装置によれば、使用者などは、弾性体の付勢力に抗ってカバー部材の押圧部を押すことにより、係合凸部と係合凹部とのロックを容易に解除できる。そのため、便座の取り外しを容易に行うことができる。
【００１０】
また、第４の発明は、第１の発明において、前記係合部は、前記突部および前記カバー部材のいずれか一方に設けられ、弾性体により付勢された突起と、前記突部および前記カバー部材のいずれか他方に設けられ、前記突起と係合可能な係合孔と、を有し、前記突起と前記係合孔とは、前記凹部への前記いずれか他方の挿入により互いに係合し、前記突起が前記弾性体の付勢力に抗って押圧されることにより互いの係合が外れることを特徴とする便座装置である。  
この便座装置によれば、弾性体の付勢力を利用することにより、突起と係合孔とが係合し、ロックが自動的にかかる。そのため、使用者が、便座をケーシングに取り付けた後に便座の前端部に勢いよく座った場合でも、便座がケーシングから外れることを抑制することができる。また、より低コストで便座の抜け防止としてのロック機構を設けることができる。
【発明の効果】
【００１１】
本発明の態様によれば、ケーシングに取り付けた便座や便蓋がケーシングから外れることを抑制することができる便座装置が提供される。
【図面の簡単な説明】
【００１２】
【図１】本発明の実施の形態にかかる便座装置を表す斜視模式図である。
【図２】ケーシングに対する便座および便蓋の連接構造を模式的に例示した概念模式図である。
【図３】ヒンジブロックと突部との連接構造を表す斜視模式図である。
【図４】係合凸部と係合凹部とのロックがかかった状態を表す断面模式図である。
【図５】係合凸部と係合凹部とのロックが解除された状態を表す断面模式図である。
【図６】本実施形態の変形例にかかる便座装置のヒンジブロックと突部との連接構造を表す斜視模式図である。
【図７】本変形例のヒンジブロックと突部との連接の内部構造を表す断面模式図である。
【図８】本実施形態の他の変形例にかかる便座装置のヒンジブロックと突部との連接の内部構造を表す断面模式図である。
【図９】本実施形態のさらに他の変形例にかかる便座装置のヒンジブロックと突部との連接の内部構造を表す断面模式図である。
【発明を実施するための形態】
【００１３】
以下、本発明の実施の形態について図面を参照しつつ説明する。なお、各図面中、同様の構成要素には同一の符号を付して詳細な説明は適宜省略する。  
図１は、本発明の実施の形態にかかる便座装置を表す斜視模式図である。  
また、図２は、ケーシングに対する便座および便蓋の連接構造を模式的に例示した概念模式図である。
【００１４】
本実施形態にかかる便座装置１０は、ケーシング１００と、便座２００と、便蓋３００と、便座２００および便蓋３００を回動自在に軸支し連接するヒンジブロック４１０および回動ブロック４２０と、を備える。
【００１５】
ケーシング１００は、図１に表したように、表面側を部分的に突設させて形成した突部（装着部）１１０を有する。また、ケーシング１００は、例えば、便座２００に座った使用者の「おしり」などに向けて水を噴出する図示しない吐水ノズルを有する衛生洗浄機能部や、便座２００に座った使用者の「おしり」などに向けて温風を吹き付けて乾燥させる温風乾燥機能部や、その他脱臭ユニットや室内暖房ユニットの各種機能部などを内蔵する。ただし、本発明においては、衛生洗浄機能部やその他の付加機能部は必ずしも設けなくてもよい。
【００１６】
便座２００は、回動ブロック４２０を挿入可能な回動ブロック挿入部２１０をその基端部に有する。また、便座２００は、図１に表したように、その表面に支持部２２０を有する。そして、支持部２２０が図示しない洋式腰掛便器（以下説明の便宜上、単に「便器」と称する）の上面に当接することにより、便座２００は、便器の上面において支持される。また、便蓋３００は、便座２００と同様に、回動ブロック４２０を挿入可能な回動ブロック挿入部３１０をその基端部に有する。
【００１７】
回動ブロック４２０は、図２に表したように、開閉ユニット（図示せず）を有するヒンジ胴部４２１と、ヒンジ軸４２３と、を有し、そのヒンジ胴部４２１は、ヒンジ軸４２３に対して回動自在とされている。なお、ヒンジ胴部４２１が有する開閉ユニットは、便座２００および便蓋３００の動作に抵抗を与えることができ、例えば、便座２００および便蓋３００が閉じるときの動作を緩やかにすることができる。
【００１８】
ヒンジブロック４１０は、ヒンジブロック本体４１１を有し、そのヒンジブロック本体の底部には、ケーシング１００の突部１１０を挿入可能な凹部４１２が設けられている。なお、突部１１０に凹部を設け、ヒンジブロック４１０をこの凹部に挿入可能としてもよい。またあるいは、突部１１０の代わりに、ケーシング１００に装着部としての凹部を形成し、ヒンジブロック４１０をこの凹部に挿入可能としてもよい。  
ヒンジブロック本体４１１は、回動ブロック４２０のヒンジ軸４２３を挿入し、固定支持する支持孔４１３を有する。そして、図２に表した連接構造では、便座２００の基端部に設けられた回動ブロック挿入部２１０の一方（図２に表した連接構造では左側）をヒンジ胴部４２１と一体に回動するように固定し、他方（図２に表した連接構造では右側）の回動ブロック挿入部２１０をヒンジ胴部４２１に対し回動自在に軸支させる。また、固定した回動ブロック挿入部２１０とは逆側（図２に表した連接構造では右側）の回動ブロック挿入部３１０をヒンジ胴部４２１と一体に回動するように固定し、他方（図２に表した連接構造では左側）の回動ブロック挿入部３１０をヒンジ胴部４２１に対し回動自在に軸支させる。
【００１９】
このようにして、便座２００と、便蓋３００と、ヒンジブロック４１０と、回動ブロック４２０と、は一体化される。そして、一体化された状態で、図２に表した矢印Ａのように、ヒンジブロック４１０の凹部４１２をケーシング１００の突部１１０に挿入させることにより、ケーシング１００の突部１１０と、回動ブロック挿入部２１０、３１０と、をヒンジブロック４１０および回動ブロック４２０を介して連接させることができる。これによれば、便座２００および便蓋３００をケーシング１００に装着することができる。一方、ケーシング１００の突部１１０からヒンジブロック４１０の凹部４１２を引き上げることにより、便座２００および便蓋３００をケーシング１００から取り外すことができる。
【００２０】
図３は、ヒンジブロックと突部との連接構造を表す斜視模式図である。  
ヒンジブロック４１０は、図２に関して前述したように、ヒンジブロック本体４１１を有し、そのヒンジブロック本体４１１は、凹部４１２および支持孔４１３を有する。また、ヒンジブロック４１０は、図３に表したように、ヒンジカバー（カバー部材）４１５を有する。ヒンジカバー４１５は、軸支部４１７においてヒンジブロック本体４１１に対して軸支されており、軸支部４１７を中心としてヒンジブロック本体４１１に対して回動できる。また、ヒンジカバー４１５は、その下端部近傍において、ヒンジブロック本体４１１側へ突出した係合凸部（係合部）４１６を有する。
【００２１】
軸支部４１７には、例えば「ばね」などの弾性体４１８が設けられている。その弾性体４１８は、ヒンジカバー４１５の下端部をヒンジブロック本体４１１側に付勢している。すなわち、係合凸部４１６は、軸支部４１７に設けられた弾性体４１８により、ヒンジブロック本体４１１側に付勢されている。そのため、ヒンジカバー４１５における軸支部４１７よりも上側の部分（押圧部）を図３に表した矢印Ｂの方向に押すと、ヒンジカバー４１５の下端部あるいは係合凸部４１６は、弾性体４１８からの付勢力に逆らいつつ、図３に表した矢印Ｃの方向に軸支部４１７を中心として回動する。一方、ヒンジカバー４１５における軸支部４１７よりも上側の部分の押圧を止めると、ヒンジカバー４１５の下端部あるいは係合凸部４１６は、弾性体４１８からの付勢力を受け、図３に表した矢印Ｃとは反対方向に軸支部４１７を中心として回動する。
【００２２】
ケーシング１００の突部１１０は、図３に表したように、その表面から内側へ後退した係合凹部（係合部）１１１を有する。この係合凹部１１１は、ヒンジカバー４１５の係合凸部４１６の外形よりもやや大きい。そのため、ヒンジブロック４１０を突部１１０に挿入した際には、ヒンジカバー４１５の係合凸部４１６は、突部１１０の係合凹部１１１に挿入される。つまり、ヒンジブロック４１０を突部１１０に挿入した際には、係合凸部４１６と係合凹部１１１とは係合する。これは、軸支部４１７に設けられた弾性体４１８が、係合凸部４１６をヒンジブロック本体４１１側すなわち係合凹部１１１側へ付勢しているためである。そうすると、ヒンジブロック４１０は、突部１１０から上方へ抜けなくなる。
【００２３】
これによれば、ヒンジブロック４１０を突部１１０に挿入すると、抜け防止としてのロックが自動的にかかる。そのため、回動ブロック４２０を介してヒンジブロック４１０と一体化された便座２００および便蓋３００が、ケーシング１００から外れることを抑制することができる。一方、便座２００および便蓋３００をケーシング１００から外す場合には、ヒンジカバー４１５における軸支部４１７よりも上側の部分（押圧部）を図３に表した矢印Ｂの方向に押してロックを解除しつつ、便座２００および便蓋３００を持ち上げることによりケーシング１００から外すことができる。以下図面を参照しつつ、これについてさらに詳細に説明する。
【００２４】
図４は、係合凸部と係合凹部とのロックがかかった状態を表す断面模式図である。  
また、図５は、係合凸部と係合凹部とのロックが解除された状態を表す断面模式図である。  
軸支部４１７に設けられた弾性体４１８は、図４に表した矢印Ｄのように、ヒンジカバー４１５における軸支部４１７よりも上側の部分をヒンジブロック本体４１１とは反対側に付勢している。その結果、図４に表した矢印Ｅのように、ヒンジカバー４１５の下端部あるいは係合凸部４１６は、軸支部４１７を中心としてヒンジブロック本体４１１側に付勢されている。
【００２５】
そこで、回動ブロック４２０を介して便座２００および便蓋３００と一体化されたヒンジブロック４１０をケーシング１００の突部１１０に挿入すると、図４に表したように、ヒンジカバー４１５の係合凸部４１６と、突部１１０の係合凹部１１１と、は自動的に係合する。これは、前述したように、係合凸部４１６がヒンジブロック本体４１１側すなわち係合凹部１１１側に付勢されているためである。そのため、ヒンジブロック４１０を突部１１０に挿入すると、係合凸部４１６と係合凹部１１１とは自動的に係合し、ロックがかかる。
【００２６】
これによれば、使用者が便座２００および便蓋３００をケーシング１００に取り付けたときに、ヒンジブロック４１０を突部１１０に係合（ロック）させることを忘れることはない。つまり、使用者が便座２００および便蓋３００をケーシング１００に取り付けたときに、ヒンジブロック４１０を突部１１０に確実にロックさせることができる。そのため、使用者が、便座２００および便蓋３００をケーシング１００に取り付けた後に便座２００の前端部に勢いよく座った場合でも、ヒンジブロック４１０が突部１１０から外れる、すなわち便座２００および便蓋３００がケーシング１００から外れることを抑制することができる。また、より安全性を高めることができ、より低コストで便座２００および便蓋３００の抜け防止としてのロック機構を設けることができる。
【００２７】
一方、便座２００および便蓋３００をケーシング１００から外す場合には、使用者は、まず図５に表したように、便座２００および便蓋３００（図１参照）を開く。続いて、使用者は、ヒンジカバー４１５における軸支部４１７よりも上側の部分を弾性体４１８からの付勢力に逆らいつつ、図５あるいは図３に表した矢印Ｂの方向に押す。そうすると、ヒンジカバー４１５の係合凸部４１６は、図５あるいは図３に表した矢印Ｃの方向に軸支部４１７を中心として回動する。このとき、図５に表したように、係合凸部４１６と係合凹部１１１との係合は外れ、ロックが解除される。使用者は、この状態のままで、便座２００および便蓋３００を持ち上げることによりケーシング１００から外すことができる。
【００２８】
これによれば、使用者は、ヒンジカバー４１５における軸支部４１７よりも上側の部分を押すことにより、容易に係合凸部４１６と係合凹部１１１とのロックを解除できる。そのため、便座２００および便蓋３００をケーシング１００から外す場合であっても、使用者は、容易にロックを解除しつつ便座２００および便蓋３００をケーシング１００から取り外すことができる。
【００２９】
なお、本実施形態では、係合凸部４１６がヒンジカバー４１５に設けられ、係合凹部１１１が突部１１０に設けられた場合を例に挙げて説明したが、これだけに限定されるわけではない。係合凸部４１６は突部１１０に設けられていてもよいし、係合凹部１１１はヒンジカバー４１５に設けられていてもよい。すなわち、係合凸部４１６は、ヒンジカバー４１５および突部１１０のいずれか一方に設けられ、係合凹部１１１は、ヒンジカバー４１５および突部１１０のいずれか他方に設けられ、係合凸部４１６と係合凹部１１１とは互いに係合できる形状を有していればよい。
【００３０】
また、ヒンジブロック４１０のヒンジブロック本体４１１は、突部１１０に挿入される凹部４１２を有しているが、これだけに限定されず、突部１１０が凹部を有していてもよい。すなわち、突部１１０は、ヒンジブロック本体４１１を挿入可能な凹部を有していてもよい。これによっても、ヒンジブロック４１０を突部１１０の凹部に挿入することにより、便座２００および便蓋３００がケーシング１００から外れることを抑制することができる。なお、これについては、後に詳述する。
【００３１】
次に、本実施形態の変形例について図面を参照しつつ説明する。  
図６は、本実施形態の変形例にかかる便座装置のヒンジブロックと突部との連接構造を表す斜視模式図である。  
また、図７は、本変形例のヒンジブロックと突部との連接の内部構造を表す断面模式図である。
【００３２】
本変形例のヒンジブロック５１０は、図３に表したヒンジブロック４１０と同様に、ヒンジブロック本体５１１を有する。そのヒンジブロック本体５１１は、図６および図７に表したように、突部６１０を挿入可能な凹部５１２と、回動ブロック４２０のヒンジ軸４２３を挿入し固定支持する支持孔５１３と、突部６１０に設けられた突起６１１と係合可能な係合孔５１５と、を有する。一方、図３に表したようなヒンジカバー４１５については、設けられていない。
【００３３】
また、本変形例の突部６１０は、図６に表したように、ヒンジブロック５１０に設けられた係合孔５１５と係合可能な突起６１１を有する。その突起６１１の一部は、突部６１０の側面から突出している。また、突起６１１の他部は、図７に表したように、突部６１０の内部に進入している。そして、突起６１１において突部６１０の内部に進入した部分には、例えば「ばね」などの弾性体６１３が付設されている。この弾性体６１３は、例えば突部６１０の内部に設けられた突壁６１５などにより固定支持され、突起６１１を突部６１０の内部から外部に（表面側に）突出させる方向に付勢している。
【００３４】
そのため、突起６１１は、図７に表した矢印ＧおよびＨのように、突部６１０の側面の略垂直方向に移動することができる。すなわち、突起６１１は、突部６１０の外部から力を受けると、図７に表した矢印Ｇのように、突部６１０の内部へ向かって移動できる。一方、突起６１１は、突部６１０の外部からの力が解除されると、図７に表した矢印Ｈのように、突部６１０の外部へ向かって移動できる。なお、突起６１１は、鍔部６１１ａを有するため、突起６１１の全てが突部６１０の外部へ飛び出ることはない。また、その他の便座装置の構造については、図１および図２に関して前述した構造と同様である。
【００３５】
そして、使用者が、図７に表した矢印Ｆのように、ヒンジブロック５１０を突部６１０に挿入すると、突起６１１は、ヒンジブロック５１０から外力を受けて矢印Ｇの方向、すなわち突部６１０の内側へ移動する。そうすると、ヒンジブロック５１０は、突部６１０の下方へさらに挿入される。そして、ヒンジブロック５１０に設けられた係合孔５１５が突起６１１の位置に略一致するところまでヒンジブロック５１０を突部６１０に挿入すると、その突起６１１は、係合孔５１５を通して矢印Ｈの方向、すなわち突部６１０の外側へ移動する。そうすると、突起６１１と係合孔５１５とは自動的に係合し、ロックがかかる。
【００３６】
これによれば、図３〜図５に関して前述したように、使用者が便座２００および便蓋３００をケーシング１００に取り付けたときに、ヒンジブロック５１０を突部６１０に係合（ロック）させることを忘れることはない。つまり、使用者が便座２００および便蓋３００をケーシング１００に取り付けたときに、ヒンジブロック５１０を突部６１０に確実にロックさせることができる。そのため、使用者が、便座２００および便蓋３００をケーシング１００に取り付けた後に便座２００の前端部に勢いよく座った場合でも、ヒンジブロック５１０が突部６１０から外れる、すなわち便座２００および便蓋３００がケーシング１００から外れることを抑制することができる。また、その他の効果についても、図３〜図５に関して前述した効果と同様の効果を得ることができる。
【００３７】
一方、便座２００および便蓋３００をケーシング１００から外す場合には、使用者は、まず、例えば指などにより突起６１１を矢印Ｇの方向に押す。そうすると、突起６１１は、突部６１０の内側へ移動し、突起６１１と係合孔５１５との係合は外れ、ロックが解除される。使用者は、この状態のままで、便座２００および便蓋３００を持ち上げることによりケーシング１００から外すことができる。
【００３８】
これによれば、使用者は、突起６１１を矢印Ｇの方向に押すことにより、容易に突起６１１と係合孔５１５とのロックを解除できる。そのため、便座２００および便蓋３００をケーシング１００から外す場合であっても、使用者は、容易にロックを解除しつつ便座２００および便蓋３００をケーシング１００から取り外すことができる。
【００３９】
図８は、本実施形態の他の変形例にかかる便座装置のヒンジブロックと突部との連接の内部構造を表す断面模式図である。  
本変形例のヒンジブロック５２０は、図６および図７に関して前述したヒンジブロック５１０と同様に、ヒンジブロック本体５２１を有する。そのヒンジブロック本体５２１は、突部６２０を挿入可能な凹部５２２と、突部６２０に設けられた突起６２１と係合可能な係合孔５２５と、を有する。この係合孔５２５は、図８に表したように、ヒンジブロック５２０において対向する側面に１つずつ設けられている。
【００４０】
また、本変形例の突部６２０は、図８に表したように、ヒンジブロック５２０に設けられた係合孔５２５と係合可能な突起６２１を有する。この突起６２１は、突部６２０において対向する側面に１つずつ設けられている。そして、突起６２１の一部は、突部６１０の左右側面から突出し、突起６２１の他部は、突部６１０の内部に進入している。左右側面に１つずつ設けられた突起６２１は、例えば「板ばね」などの弾性体６２３により互いに連結され、その弾性体６２３により突部６２０の内部から外部に（表面側に）突出する方向に付勢されている。そのため、突起６２１は、図７に関して前述した変形例と同様に、突部６２０の側面の略垂直方向に移動することができる。その他の便座装置の構造については、図１および図２に関して前述した構造と同様である。
【００４１】
そして、使用者が、ヒンジブロック５２０を突部６２０に挿入すると、突起６２１は、ヒンジブロック５２０から外力を受けて突部６１０の内側へ移動する。そうすると、ヒンジブロック５２０は、突部６２０の下方へさらに挿入される。そして、ヒンジブロック５２０に設けられた係合孔５２５が突起６２１の位置に略一致するところまでヒンジブロック５２０を突部６２０に挿入すると、その突起６２１は、係合孔５２５を通して突部６２０の外側へ移動する。そうすると、突起６２１と係合孔５２５とは自動的に係合し、ロックがかかる。
【００４２】
これによれば、ヒンジブロック５２０および突部６２０の左右側面において、突起６２１と係合孔５２５とが係合し、より確実にロックがかかる。そのため、使用者が便座２００および便蓋３００をケーシング１００に取り付けたときに、ヒンジブロック５２０を突部６２０により確実にロックさせることができる。すなわち、便座２００および便蓋３００がケーシング１００から外れることをより確実に抑制することができる。また、その他の効果についても、図３〜図５に関して前述した効果と同様の効果を得ることができる。
【００４３】
一方、便座２００および便蓋３００をケーシング１００から外す場合には、使用者は、まず、例えば指などにより左右側面の突起６２１を略同時に突部６２０の内側へ押す。そうすると、左右側面の突起６２１は、突部６２０の内側へ移動し、突起６２１と係合孔５２５との係合は外れ、ロックが解除される。使用者は、この状態のままで、便座２００および便蓋３００を持ち上げることによりケーシング１００から外すことができる。
【００４４】
図９は、本実施形態のさらに他の変形例にかかる便座装置のヒンジブロックと突部との連接の内部構造を表す断面模式図である。  
なお、図９（ａ）は、ヒンジブロックを突部に挿入する前の状態を表す断面模式図であり、図９（ｂ）は、ヒンジブロックを突部に挿入した後の状態を表す断面模式図である。
【００４５】
図３に関して前述したように、ケーシングの突部は、ヒンジブロックを挿入可能な凹部を有していてもよい。すなわち、本変形例の突部６３０は、ヒンジブロック５３０を挿入可能な凹部６３１を有する。また、突部６３０は、ヒンジブロック５２０に設けられた突起５３５と係合可能な係合孔６３３を有する。この係合孔６３３は、図９（ａ）および図９（ｂ）に表したように、突部６３０において対向する側面に１つずつ設けられている。
【００４６】
一方、本変形例のヒンジブロック５３０は、図１〜図８に関して前述したような凹部を有してはいない。本変形例のヒンジブロック５３０は、その下端部において、例えば「ゴム」などの弾性体により形成され、下方に突出した突出部５３１を有する。突出部５３１の側面には、突部６３０の係合孔６３３と係合可能な突起５３５を有する。この突起５３５は、突出部５３１の左右側面に１つずつ設けられている。また、突出部５３１の左右側面に設けられた突起５３５の間には、図９（ａ）および図９（ｂ）に表したように、例えば「ばね」などの弾性体５３３が設けられている。そのため、突起５３５は、図７および図８に関して前述した変形例と同様に、ヒンジブロック５３０の側面の略垂直方向に移動することができ、弾性体５３３によりヒンジブロック５３０の外側（表面側）へ向かって付勢されている。
【００４７】
そして、使用者が、ヒンジブロック５３０を突部６３０の凹部６３１に挿入すると、突起５３５は、突部６３０から外力を受けてヒンジブロック５３０の内側あるいは突部６３０の内側へ移動する。そうすると、ヒンジブロック５３０は、突部６３０の凹部６３１の下方へさらに挿入される。そして、ヒンジブロック５３０に設けられた突起５３５が係合孔６３３の位置に略一致するところまでヒンジブロック５３０を突部６３０の凹部６３１に挿入すると、その突起５３５は、係合孔６３３を通して突部６３０の外側へ移動する。そうすると、突起５３５と係合孔６３３とは自動的に係合し、ロックがかかる。
【００４８】
本変形例によれば、ヒンジブロック５３０には突出部５３１が設けられ、突部６３０には上方に開口した凹部６３１が設けられているため、使用者は、挿入部（凹部６３１）を目視しやすく、ヒンジブロック５３０を突部６３０に挿入しやすい。また、図８に関して前述した変形例と同様に、ヒンジブロック５３０および突部６３０の左右側面において、突起５３５と係合孔６３３とが係合し、より確実にロックがかかる。すなわち、便座２００および便蓋３００がケーシング１００から外れることをより確実に抑制することができる。また、その他の効果についても、図３〜図５に関して前述した効果と同様の効果を得ることができる。
【００４９】
一方、便座２００および便蓋３００をケーシング１００から外す場合には、使用者は、まず、例えば指などにより左右側面の突起５３５を略同時に突部６３０の内側へ押す。そうすると、左右側面の突起５３５は、突部６３０の内側へ移動し、突起５３５と係合孔６３３との係合は外れ、ロックが解除される。使用者は、この状態のままで、便座２００および便蓋３００を持ち上げることによりケーシング１００から外すことができる。
【００５０】
以上説明したように、本実施形態によれば、ヒンジブロック４１０を突部１１０に挿入すると、抜け防止としてのロックが自動的にかかる。これは、図６〜図９に関して前述した変形例についても同様である。そのため、使用者が便座２００および便蓋３００をケーシング１００に取り付けたときに、ヒンジブロック４１０を突部１１０に係合（ロック）させることを忘れることはない。つまり、使用者が便座２００および便蓋３００をケーシング１００に取り付けたときに、ヒンジブロック４１０を突部１１０に確実にロックさせることができる。そのため、使用者が、便座２００および便蓋３００をケーシング１００に取り付けた後に便座２００の前端部に勢いよく座った場合でも、ヒンジブロック４１０が突部１１０から外れる、すなわち便座２００および便蓋３００がケーシング１００から外れることを抑制することができる。また、より安全性を高めることができ、より低コストで便座２００および便蓋３００の抜け防止としてのロック機構を設けることができる。
【００５１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ヒンジブロック４１０や突部１１０などが備える各要素の形状、寸法、材質、配置などや係合凸部４１６や係合凹部１１１の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５２】
１０ 便座装置、  １００ ケーシング、  １１０ 突部、  １１１ 係合凹部、  ２００ 便座、  ２１０ 回動ブロック挿入部、  ２２０ 支持部、  ３００ 便蓋、  ３１０ 回動ブロック挿入部、  ４１０ ヒンジブロック、  ４１１ ヒンジブロック本体、  ４１２ 凹部、  ４１３ 支持孔、  ４１５ ヒンジカバー、  ４１６ 係合凸部、  ４１７ 軸支部、  ４１８ 弾性体、  ４２０ 回動ブロック、  ４２１ ヒンジ胴部、  ４２３ ヒンジ軸、  ５１０ ヒンジブロック、  ５１１ ヒンジブロック本体、  ５１２ 凹部、  ５１３ 支持孔、  ５１５ 係合孔、  ５２０ ヒンジブロック、  ５２１ ヒンジブロック本体、  ５２２ 凹部、  ５２５ 係合孔、  ５３０ ヒンジブロック、  ５３１ 突出部、  ５３３ 弾性体、  ５３５ 突起、  ６１０ 突部、  ６１１ 突起、  ６１１ａ 鍔部、  ６１３ 弾性体、  ６１５ 突壁、  ６２０ 突部、  ６２１ 突起、  ６２３ 弾性体、  ６３０ 突部、  ６３１ 凹部、  ６３３ 係合孔
【図１】
2010246773.tif 000003
【図２】
2010246773.tif 000004
【図３】
2010246773.tif 000005
【図４】
2010246773.tif 000006
【図５】
2010246773.tif 000007
【図６】
2010246773.tif 000008
【図７】
2010246773.tif 000009
【図８】
2010246773.tif 000010
【図９】
2010246773.tif 000011